(57)【特許請求の範囲】
【請求項１】
長尺レンズの加工時に用いるレンズ保持具において、
上記長尺レンズの外周部を保持するレンズ保持部材と、
上記長尺レンズの加工面側の外方に位置する捨てヤトイを保持する捨てヤトイ保持部材と、
上記レンズ保持部材に保持された長尺レンズの非加工面側を保護する保護部材と、
を具備し、
上記レンズ保持部材、上記捨てヤトイ保持部材および上記保護部材を同一軸上に配置することを特徴とするレンズ保持具。
【請求項２】
上記捨てヤトイ保持部材は、上記レンズ保持部材の外径よりも大きい外径を有することを特徴とする請求項１に記載のレンズ保持具。
【請求項３】
上記長尺レンズを加工するときには、上記レンズ保持部材の内周面で上記長尺レンズの外周部を保持して、上記レンズ保持部材の外周面で上記長尺レンズの径方向の動きを規制し、
上記捨てヤトイ保持部材の一方面で上記捨てヤトイを保持して、上記捨てヤトイ保持部材の他方面で上記長尺レンズの軸方向の動きを規制することを特徴とする請求項２に記載のレンズ保持具。
【発明の詳細な説明】
【０００１】
【発明の属する技術分野】
本発明は、長尺レンズ素材の両端面を光学面とする長尺レンズの加工に用いるレンズ保持具に関するものである。
【０００２】
【従来の技術】
従来の長尺レンズの保持具は、特開平５―１７７５２７号公報に開示されている。上記保持具を図７を用いて説明する。
【０００３】
レンズ保持具５０は中空の円柱体で、その中央にはレンズ素材５１の外径より大きな貫通孔５０ａが形成されている。また、レンズ保持具５０の両端外周には捨てヤトイ５２を嵌合して接着固定する捨てヤトイ保持部位５０ｂが形成され、捨てヤトイ保持部位５０ｂ間の外周部には、加工設備にレンズ保持具５０を固定保持または回転可能に保持させる際の径方向の動きを規制するためのチャック部位５０ｃと軸方向の動きを規制するためのフランジ５０ｄとを有している。
【０００４】
レンズ素材５１は貫通孔５０ａに、捨てヤトイ５２は捨てヤトイ保持部位５０ｂに、ヤニ（ピッチ）や熱可塑性接着剤によって固定される。そして、レンズ面５１ａを加工するときは、レンズ保持具５０のチャック部位５０ｃの面５０ｅ側を設備の保持部５３に保持させ、保持部５３がフランジ５０ｄの面に当て付くようにする。また、レンズ面５１ｂを加工するときは、レンズ保持具５０のチャック部位５０ｃの面５０ｆ側を設備の保持部５３に保持させ、保持部５３がフランジ５０ｄの面に当て付くようにする。
【０００５】
また、別の従来の長尺レンズの保持具は、特開昭５７―１７８６５６号公報に開示されている。上記保持具を図８を用いて説明する。
【０００６】
レンズ保持具６０は中空の円柱体で、その中央にはレンズ素材６１の外径より大きな貫通孔６０ａが形成されている。また、レンズ保持具６０の一端には捨てヤトイ６２を嵌合して接着固定する捨てヤトイ保持部位６０ｂが形成され、他端側には加工設備の保持部６３にレンズ保持具６０を固定保持または回転可能に保持させる際の、径方向の動きを規制するためのチャック部位６０ｃと、軸方向の動きを規制するための当て付け部６０ｄとを有している。貫通孔６０ａの下部には、調整ネジ６４が螺合するためのネジ部６０ｆが設けられている。
【０００７】
調整ネジ６４は、その先端部がレンズ保持具６０の貫通孔６０ａに挿入されたレンズ素材６１の下面６１ｂに接触してレンズ素材６１を支えるようになっている。この状態で、捨てヤトイ６２を捨てヤトイ保持部位６０ｂに嵌め込み、レンズ素材６１と捨てヤトイ６２の双方をレンズ保持具６０にヤニ等の接着剤で固定する。
【０００８】
加工する際は、レンズ保持具６０の面６０ｅ（チャック保持部位６０ｃと当て付け部６０ｄの両面）を設備の保持部６３に固定または回転自在に保持させ、レンズ素材６１の加工面６１ａを加工する。
【０００９】
【発明が解決しようとする課題】
図７に示した従来技術の問題点を説明する。精研削加工および研磨加工は、球面創成された面５１ａに、所望の曲率形状をした砥石（図示省略）を摺り合わせることによって行われる。このとき、加工機に回転自在に保持されているレンズ保持具５０は、加工抵抗により径方向に引っ張られる力を砥石から与えられる。加工の際の軸方向の位置決めは、フランジ５０ｄにより行うが、従来のレンズ保持具５０では、フランジ５０ｄがレンズ保持具５０と一体になっていて、レンズ素材５１の各面５１ａ，５１ｂの面頂からフランジ５０ｄまでの長さが固定となるため、レンズ加工面５１ａ，５１ｂの少なくとも一方は、面頂からフランジ５０ｄまでの距離が長くなってしまう。
【００１０】
加工中にレンズ素材５１が径方向に引っ張られる力を受ける際、レンズ素材５１の面頂からフランジ５０ｄの軸方向位置決め面（当て付け面）までの距離が長いと、径方向に引っ張られる力によってレンズ保持具５０の回転軸が、レンズ保持具５０を保持する設備の保持軸に対して傾いてしまう。これによって、加工中に振動が発生することとなる。
【００１１】
加工中の振動は、面精度の低下やキズ・チッピングの発生を誘発し、レンズの品質を著しく低下させるという問題を生じさせる。
【００１２】
図８の従来例では、レンズ素材６１の両面６１ａ，６１ｂを加工する場合に、片面を加工した後にレンズ素材６１を一旦レンズ保持具６０から剥がし、再び逆向きにレンズ素材６１をレンズ保持具６０に接着固定する必要がある。この貼り替えの作業を行う際にレンズ素材６１の側面や、特に凹形状のレンズの場合は光学面端部にチッピングを発生させてしまう可能性が非常に大きいという欠点がある。
【００１３】
本発明は、上記従来の問題点に鑑みて開発されたもので、長尺レンズを一度レンズ保持具に固定するだけで、貼り替えの作業なしに両端を加工できるともに、面精度・外観ともに高品質である長尺レンズの加工を可能とするレンズ保持具を提供することを目的とする。
【００１４】
【課題を解決するための手段】
上記目的を達成するために、本発明に係る請求項１のレンズ保持具は、長尺レンズの加工時に用いるレンズ保持具において、上記長尺レンズの外周部を保持するレンズ保持部材と、上記長尺レンズの加工面側の外方に位置する捨てヤトイを保持する捨てヤトイ保持部材と、上記レンズ保持部材に保持された長尺レンズの非加工面側を保護する保護部材とを具備し、上記レンズ保持部材、上記捨てヤトイ保持部材および上記保護部材を同一軸上に配置することを特徴とする。
【００１５】
また、本発明に係る請求項２のレンズ保持具は、請求項１のレンズ保持具において、上記捨てヤトイ保持部材は、上記レンズ保持部材の外径よりも大きい外径を有することを特徴とする。
【００１６】
さらに、本発明に係る請求項３のレンズ保持具は、請求項２のレンズ保持具において、上記長尺レンズを加工するときには、上記レンズ保持部材の内周面で上記長尺レンズの外周部を保持して、上記レンズ保持部材の外周面で上記長尺レンズの径方向の動きを規制し、上記捨てヤトイ保持部材の一方面で上記捨てヤトイを保持して、上記捨てヤトイ保持部材の他方面で上記長尺レンズの軸方向の動きを規制することを特徴とする。
【００１７】
すなわち、請求項１の構成にあっては、レンズ保持部材は長尺レンズの外周部を保持し、その両端面の加工を可能にする。捨てヤトイ保持部材は、上記レンズ保持部材の一端側に取り付けて捨てヤトイを長尺レンズの加工面側の外方に位置させ、保護部材は、上記レンズ保持部材の他端側に取り付けて長尺レンズの非加工面側を保持する。そして、長尺レンズの一端面（上記加工面側）の加工が終了した後、同一軸上に固定されている捨てヤトイ保持部材と保護部材をレンズ保持部材から分離し、レンズ保持部材に固定されている長尺レンズの未加工面側に捨てヤトイ保持部材を、捨てに加工された面側に保護部材をレンズ保持部材に取り付けて同一軸上に固定し、長尺レンズの未加工面側を加工する。
【００１８】
また、請求項２の構成にあっては、レンズ保持部材は長尺レンズの外周部を保持し、その両端面の加工を可能にする。レンズ保持部材の外径よりも大きい外径を有する捨てヤトイ保持部材は、レンズ保持部材の外周面より径方向に突出し、加工時における長尺レンズの軸方向の動きの規制を可能にする。
【００１９】
さらに、請求項３の構成にあっては、レンズ保持部材はその内周面で長尺レンズの外周面を保持し、長尺レンズの両端面の加工を可能にする。レンズ保持部材の外径よりも大きい外径を有する捨てヤトイ保持部材は、一方面で捨てヤトイを保持して長尺レンズの加工面側の外方に位置させ、他方面で長尺レンズの軸方向の動きを規制にする。
【００２０】
【発明の実施の形態】
［実施の形態１］
本発明の実施の形態１を図１〜図４に示す。図１は本実施の形態のレンズ保持具を組み上げた状態を示す断面図、図２はレンズ保持具をＣＧチャック時の状態を示す断面図、図３は長尺レンズの精研削加工中の状態を示す断面図、図４は長尺レンズの２面目加工前の状態を示す断面図である。
【００２１】
図１を用いて、本実施の形態のレンズ保持具の構成を説明する。
レンズ保持具１０は、長尺レンズとしての長尺レンズ素材１を保持するレンズ保持部材４と、捨てヤトイ２を保持する捨てヤトイ保持部材３と、長尺レンズ素材１の加工しない面（非加工面）１ｂ側を保護する保護部材５とから構成されている。捨てヤトイ保持部材３および保護部材５とレンズ保持部材４とは分離自在にネジ結合され、レンズ保持部材４と捨てヤトイ保持部材３と保護部材５の３つの部材は同一軸Ｏ上に配置される。
【００２２】
長尺レンズ素材１は円柱状のガラス素材であり、その両端面１ａ，１ｂが加工面として加工される。また、捨てヤトイ２は長尺レンズ素材１の外径よりも大きな内径を有するドーナツ形状をしており、長尺レンズ素材１と同様の加工性を有する材質が好ましく、本実施の形態ではパイレックスガラスを用いている。
【００２３】
レンズ保持部材４は、長尺レンズ素材１より短く、その中心に長尺レンズ素材１を遊びのない状態で挿入しその外周面を保持するための内周面としての孔４ａを有しており、長尺レンズ素材１の両端面１ａ，１ｂをレンズ保持部材４の両端から突出させて保持可能となっている。レンズ保持部材４の両端部には、捨てヤトイ保持部材３および保護部材５と螺合して結合するためのネジ部４ｂ，４ｃを有している。ネジ部４ｂ，４ｃは同じ形状となっており、捨てヤトイ保持部材３と保護部材５とを入れ替えてレンズ保持部材４に螺合できるようになっている。ネジ部４ｂ，４ｃの間には、第１外周面としてのネジ部４ｂ，４ｃの外径より大径の第２外周面としての外周面Ｃを有しており、ネジ部４ｂ，４ｃと外周面Ｃとの境界部はレンズ保持具１０の軸線Ｏと直交する平面Ｄ，Ｅの段部となっている。外周面Ｃは、保持した長尺レンズ素材１の加工時にその径方向の動きを規制するための面となるため、孔４ａとの同軸度を高精度に設定してある。
【００２４】
捨てヤトイ保持部材３は円盤状で、レンズ保持部材４の外周面Ｃより大きい外径を有しており、その中心の内周部にレンズ保持部材４のネジ部４ｂ，４ｃと螺合するためのネジ部３ａを有している。また、捨てヤトイ保持部材３は、捨てヤトイ２が収まるような輪帯状の座グリ部３ｂを有する一方面としての面Ｂと、この面Ｂに対して逆の面にレンズ保持部材４の平面Ｄ（あるいは平面Ｅ）に当接する他方面としての面Ａ（以下、底面Ａという）を有しており、底面Ａは長尺レンズ素材１の軸方向の動きを規制する当て付け面としての機能を有している。
【００２５】
保護部材５は円筒形状をした部材で、その内周面にレンズ保持部材４のネジ部４ｂ，４ｃと螺合するためのネジ部５ａを有している。保護部材５の外径は、レンズ保持部材４の外周面Ｃよりもわずかに小さく設定され、加工時のレンズ保持具１０の保持をレンズ保持部材４の外周面Ｃによって行われるようにしてある。さらに、保護部材５は、その端部をレンズ保持部材４の平面Ｅ（あるいは平面Ｄ）に当接させるようにしてレンズ保持部材４に螺着した際、長尺レンズ素材１の非加工面１ｂ側（あるいは図４に示すように面１ａ側）をその内側に収納できるような長さに設定されている。ここで非加工面とは、面１ａを加工しているときは面１ｂが該当し、面１ｂを加工しているときは面１ａが該当する。
【００２６】
次に、上記構成からなるレンズ保持具の作用を説明する。
長尺レンズ素材１の加工完了時の寸法よりも長い捨てヤトイ２を、捨てヤトイ保持部材３の座グリ部３ｂに接着する。この接着は加工後に捨てヤトイ２が加熱剥離可能なようにヤニ（ピッチ）にて行う。次に、長尺レンズ素材１をレンズ保持部材４の孔４ａに挿入し、上述と同様にピッチにて所望の位置に固定する。そして、長尺レンズ素材１の加工する面１ａ側の外方に捨てヤトイ２が取り付くように、レンズ保持部材４と捨てヤトイ保持部材３とをネジ部４ｂとネジ部３ａを介して螺着し、捨てヤトイ保持部材３の底面Ａとレンズ保持部材４の平面Ｄとを当接させる。また、長尺レンズ素材１の加工しない面１ｂ側に保護部材５が取り付くように、レンズ保持部材４と保護部材５とをネジ部４ｃとネジ部５ａを介して螺着し、レンズ保持部材４の平面Ｅと保護部材５の端面を当接させて面１ｂが保護部材１の内部に位置するようにする。これにより、３つの部材である捨てヤトイ保持部材３とレンズ保持部材４および保護部材５を同一軸Ｏ上に固定し、図１に示すようにレンズ保持具１０を組み上げる。
【００２７】
組み上げられたレンズ保持部材１０は、図２に示すように、ＣＧ（カーブジェネレータ）加工では、図示しない設備の回転軸に固定保持するためのチャック１１によって、レンズ保持部材４の外周面Ｃおよび捨てヤトイ保持部材３の底面Ａとを当て付け面として、長尺レンズ素材１の径方向および軸方向への移動を規制する。この状態において、図示しない砥石を用いて長尺レンズ素材１および捨てヤトイ２の端面に曲率Ｒを創成する。
【００２８】
次に、図３に示すように、精研削加工や研磨加工では、図示しない設備にレンズ保持具１０を回転自在に保持するためのベアリング１２によって、レンズ保持部材４の外周面Ｃと捨てヤトイ保持部材３の底面Ａとを当て付け面として、長尺レンズ素材１の径方向および軸方向への移動を規制する。この状態において、加工液１３を長尺レンズ素材１および捨てヤトイ２と砥石１４の間に供給しつつ、所望の形状に形成された砥石１４を加工面（上記曲率Ｒに創成した面）に当て付け、砥石１４の回転および揺動により上記加工面の加工を行う。
【００２９】
加工面の研磨加工終了後、加工していない面１ｂを加工面側にして加工するために、組み上げられたレンズ保持具１０の各螺着部（ネジ部３ａとネジ部４ｂ、ネジ部４ｃとネジ部５ａ）を緩め、捨てヤトイ保持部材３とレンズ保持部材４と保護部材５の３つの部材に分解する。分解後、レンズ保持部材４に固定されている長尺レンズ素材１の加工されていない面１ｂ側に捨てヤトイ保持部材３をネジ部３ａ，４ｃを介してレンズ保持部材４に螺着する。また、加工された面１ａ側に保護部材５をネジ部４ｂ，５ａを介してレンズ保持部材４に螺着し、非加工面側としての面１ａを保護部材５の内部に位置させる。このように組み付けた後のレンズ保持具１０の状態を図４に示す。このとき、必要があれば捨てヤトイ保持部材３に固定されている捨てヤトイ２を交換したり、長尺レンズ素材１の加工された面１ａのヤケやキズを防ぐための保護膜（ピッチを溶剤に溶いたもの）を塗布してもよい。レンズ保持具１０を組み付けた後は、上述した面１ａに対する加工と同様に、面１ｂに対する加工を行う。
【００３０】
本実施の形態によれば、長尺レンズ素材１の両面１ａ，１ｂを加工する際に、長尺レンズ素材１の貼り替え作業なしに両面１ａ，１ｂの加工が行えるとともに、レンズ保持具１０の軸方向の動きを規制する捨てヤトイ保持部材３（フランジ部）を長尺レンズ素材１の加工する面側に取り付けることで、捨てヤトイ保持部材３と長尺レンズ素材１の面１ａ（および面１ｂ）の面頂との距離を短くできることにより、加工抵抗による加工中のレンズふらつきを抑えることができ、面精度・外観ともに高品質な長尺レンズの加工を可能にすることができる。また、レンズ保持具１０のレンズ保持部材４から長尺レンズ素材１を外すことなく両面１ａ，１ｂの加工を行うことが可能であるため、貼り替え作業にかかる手間を少なくすることが可能であるとともに、貼り替え作業によって生じる可能性の高いレンズ外周部のピッチングの発生を抑えることができる。
【００３１】
［実施の形態２］
本発明の実施の形態２を図５および図６に示す。図５は比較的短い長さの長尺レンズ素材をレンズ保持具に固定した状態を示す断面図、図６はレンズ保持具に固定された長尺レンズ素材の貼付位置を調整するためのレンズ位置調整治具を示す断面図である。本実施の形態では、比較的短い長さの長尺レンズ素材の両面を加工する際に、１面目の加工終了後にレンズ位置調整治具を用いて、長尺レンズ素材のレンズ保持具に対する固定位置を移動調整して、長尺レンズ素材を再度固定した後に２面目の加工を行う例について説明する。
【００３２】
図５および図６を用いて、本実施の形態のレンズ保持具の構成およびレンズ位置調整治具の構成を説明する。図５に示すレンズ保持具２０は、実施の形態１と同様に構成されており、捨てヤトイ保持部材２３とレンズ保持部材２４と保護部材２５とからなっている。捨てヤトイ保持部材２３とレンズ保持部材２４はネジ部２３ａとネジ部２４ｂによりネジ結合されるとともに、保護部材２５とレンズ保持部材２４はネジ部２５ａとネジ部２４ｃによりネジ結合され、この３つの部材２３，２４，２５は同一軸Ｏ上に配置される。
【００３３】
捨てヤトイ保持部材２３には、ドーナツ形状のパイレックスガラスからなる捨てヤトイ２２が一方面としての面Ｂに設けた輪帯状の座グリ部２３ｂに固定される。また、長尺レンズ素材２１は、レンズ保持部材２４より短くなっており、レンズ保持部材２４の内周面としての孔２４ａに長尺レンズ素材２１の加工の１面目２１ａをレンズ保持部材２４から突出させた状態で固定される。この長尺レンズ素材２１は、長さが比較的短いために先に加工される１面目２１ａが加工された状態においては、後に加工される２面目２１ｂはレンズ保持部材２４の孔２４ａに潜った状態となっている。
【００３４】
図６に示すレンズ位置調整治具３０は、レンズ保持具２０を捨てヤトイ保持部材２３の底面Ａを当接させて載置するための載置台３１と、載置台３１に載置されたレンズ保持具２０の孔２４ａ内に固定された長尺レンズ素材２１の下側の端面に当て付くように設けたピン３２ａをその上面に設けたレンズ押圧台３２と、載置台３１とレンズ押圧台３２との間隔を決めるための間隔決め部材３３とからなっている。
【００３５】
載置台３１には、レンズ保持具２０のレンズ保持部材２４の外周面Ｃを挿入可能とした孔３１ａが設けられ、レンズ保持具２０を載置台３１に載せると、長尺レンズ素材２１の径方向の移動は孔３１ａとレンズ保持部材２４の外周面Ｃとの嵌合により規制され、軸方向の移動は載置台３１の上面と捨てヤトイ保持部材２３の底面Ａとの当て付けにより規制されるようになっている。
【００３６】
間隔決め部材３３は、載置台３１の下面およびレンズ押圧台３２の上面で対向する位置に設けられた座グリ３１ｃおよび座グリ３２ｃに端部が各々嵌め込まれ、間隔決め部材３３の長さにより載置台３１とレンズ押圧台３２との距離が決められるようになっている。また、載置台３１とレンズ押圧台３２の水平方向の位置決めも間隔決め部材３３によって行われ、載置台３１に置かれたレンズ保持具２０の中心軸Ｏとレンズ押圧台３２に設けられたピン３２ａの軸とが合致するようになっている。
【００３７】
次に、上記構成からなるレンズ保持具とレンズ位置調整治具の作用を説明する。レンズ保持部材２４に対する長尺レンズ素材２１の固定方法および捨てヤトイ保持部材２３に対する捨てヤトイ２２の固定方法や、１面目２１ａの加工完了までの手順・作用は実施の形態１と同様であるため、その説明は省略する。ここでは、１面目２１ａの加工終了後に、レンズ保持具２０に対する長尺レンズ素材２１の固定位置を移動調整し、長尺レンズ素材２１を再度固定した後に２面目２１ｂの加工を行う場合の作用を説明する。
【００３８】
図５のレンズ保持具２０は、１面目２１ａの加工が完了した長尺レンズ素材２１を保持している状態を示している。実施の形態１で説明した手順と同様に、レンズ保持部材２４と捨てヤトイ保持部材２３および保護部材２５のネジ結合を解き、レンズ保持部材２４に対してネジ結合されていた捨てヤトイ保持部材２３と保護部材２５との位置を入れ替え、これから加工する２面目２１ｂ側に捨てヤトイ保持部材２３をネジ部２３ａとネジ部２４ｃとでレンズ保持部材２４に螺合し、加工されたレンズ面の１面目２１ａ側に保護部材２５をネジ部２５ａとネジ部２４ｂとでレンズ保持部材２４に螺合する。このとき、長尺レンズ素材２１の１面目２１ａは、保護部材２５が位置するレンズ保持部材２４の端面から突出した状態になっており、次に加工する２面目２１ｂはレンズ保持部材２４の孔２４ａ内に潜った状態となっている。
【００３９】
次に、図６を用いて説明する。捨てヤトイ保持部材２３と保護部材２５の螺着し直したレンズ保持具２０を、組み付けていないレンズ位置調整治具３０の載置台３１に設けた孔３１ａに嵌挿する。
【００４０】
一方、レンズ押圧台３２に配置したピン３２ａの先端部が、レンズ保持具２０に対して長尺レンズ素材２１の１面目２１ａ先端を位置させたい位置Ｔに移動できるように、載置台３１とレンズ押圧台３２の距離を、間隔決め部材３３の長さにより設定する。この間隔位置決め部材３３は、レンズ押圧台３２上面の座グリ３２ｃに嵌め込まれ、その状態でレンズ保持具２０を載せた載置台３１を、載置台３１下面の座グリ３１ｃに間隔位置決め部材３３が嵌め込まれるように載せる。この状態では、レンズ保持具２０は長尺レンズ素材２１を上方に移動させたい距離だけ載置台３１から浮いた状態、すなわち捨てヤトイ保持部材２３の底面Ａが載置台３１の上面から離れた状態となっており、レンズ保持具２０は長尺レンズ素材２１を介してピン３２ａにより上下方向の支持がなされている。
【００４１】
次に、レンズ保持部材２４の孔２４ａ内で長尺レンズ素材２１を固定している接着剤（ピッチ）の軟化温度を越え、その接着剤が充分に流動状態となる温度にレンズ位置調整治具３０を加熱する。そして、レンズ保持具２０が充分に加熱されて接着剤が流動状態になると、レンズ保持具２０はその自重で位置が下がるとともに、長尺レンズ素材２１はピン３２ａに支持されてレンズ保持部材２４の孔２４ａ内を相対的に上昇し、捨てヤトイ保持部材２３の底面Ａが載置台３１の上面と当接する。この状態となることで、レンズ保持具２０に対する長尺レンズ素材２１の位置、すなわち２面目２１ｂの位置は所望の位置となる。そして、レンズ保持具２０の捨てヤトイ保持部材２３下面Ａと載置台３１の上面が当接したことを確認後、レンズ位置調整治具３０の加熱を停止し、レンズ保持具２０の放置冷却をする。
【００４２】
レンズ保持具２０が充分に冷却され、長尺レンズ素材２１がレンズ保持部材２４に固着された後、載置台３１からレンズ保持具２０を外し、実施の形態１の面１ｂと同様に２面目２１ｂの加工を実施する。
【００４３】
本実施の形態によれば、実施の形態１と同様に、レンズ保持具２０の軸方向の動きを規制する捨てヤトイ保持部材２３（フランジ部）と長尺レンズ素材２１の面２１ａ（または面２１ｂ）の面頂との距離を短くできることにより、加工抵抗による加工中のレンズふらつきを抑えることができ、面精度・外観ともに高品質な長尺レンズの加工を可能にすることができる。また、レンズ位置調整治具３０を用いることによって比較的短い長さの長尺レンズ素材２１をも、レンズ保持具２０から長尺レンズ素材２１を外すことなく両面２１ａ，２１ｂの加工を行うことが可能であるため、長尺レンズ素材２１の着脱に伴うピッチングの発生を抑えることができる。
【００４４】
なお、上記した具体的実施の形態から次のような構成の技術的思想が導き出される。
（付記）
（１）長尺レンズの加工に用いるレンズ保持具において、
その一端に捨てヤトイを固定する捨てヤトイ保持部材と、
その内側にレンズを位置決めしてレンズ外周部を保持するレンズ保持部材と、
レンズ保持部材に固定されたレンズの非加工面側をその内側に保護する保護部材とからなり、
上記３つの部材を同一軸上に固定してなることを特徴とするレンズ保持具。
【００４５】
（２）長尺レンズの加工時に用いるレンズ保持具において、
上記長尺レンズの外周部を内周面で保持するレンズ保持部材と、
上記レンズ保持部材の外径よりも大きい外径を有しており、上記長尺レンズの加工面側の外方に位置する捨てヤトイを一方面で保持する捨てヤトイ保持部材と、を具備し、
上記長尺レンズを加工するときには、上記捨てヤトイ保持部材の他方面で上記長尺レンズの軸方向の動きを規制し、上記レンズ保持部材の外周面で上記長尺レンズの径方向の動きを規制することを特徴とするレンズ保持具。
【００４６】
（３）上記レンズ保持部材の外周面は、上記捨てヤトイ保持部材の内周面と結合する第１外周面と、上記第１外周面よりも外径が大きく且つ上記長尺レンズの径方向の動きを規制する第２外周面と、を有していることを特徴とする付記（２）に記載のレンズ保持具。
【００４７】
（４）上記レンズ保持部材の第１外周面と上記捨てヤトイ保持部材の内周面とは、互いに設けられたネジ部により結合することを特徴とする付記（３）に記載のレンズ保持具。
【００４８】
（５）上記レンズ保持部材に保持された上記長尺レンズの非加工面側を保持する円筒形状の保護部材をさらに具備することを特徴とする付記（２）〜（４）のいずれかに記載のレンズ保持具。
【００４９】
（６）上記保護部材の内周面と上記レンズ保持部材とは、互いに設けられたネジ部により結合することを特徴とする付記（５）に記載のレンズ保持具。
【００５０】
（７）上記保護部材の外周面は、その外径が上記レンズ保持部材の第２外周面の外径よりも小さいことを特徴とする付記（５）または（６）に記載のレンズ保持具。
【００５１】
（８）上記捨てヤトイ保持部材と上記保護部材は、レンズ保持部材に対する位置を入れ替えてネジ結合が可能なことを特徴とする付記（２）〜（７）のいずれかに記載のレンズ保持具。
【００５２】
付記（１）のレンズ保持具によれば、長尺レンズを一度レンズ保持具に固定するだけで、レンズ保持具のレンズ保持部材から長尺レンズを着脱することなく長尺レンズの両端面の両端面の加工を可能とするとともに、レンズ保持具の軸方向の衝面（設備に保持される面）を捨てヤトイ保持部材とし、この捨てヤトイ保持部材を長尺レンズの加工する面側に配置することで、上記衝面と長尺レンズの加工面の面頂との距離を短くでき、面精度・外観ともに高品質な長尺レンズの加工を可能にすることができる。
【００５３】
付記（２）のレンズ保持具によれば、長尺レンズを一度レンズ保持具に固定するだけで、レンズ保持具のレンズ保持部材から長尺レンズを着脱することなく長尺レンズの両端面の両端面の加工を可能とするとともに、捨てヤトイ保持部材をレンズ保持部材の外周面から突出させてレンズ保持具の軸方向の衝面（設備に保持される面）をとし、この捨てヤトイ保持部材を長尺レンズの加工する面側に配置することで、上記衝面と長尺レンズの加工面の面頂との距離を短くでき、面精度・外観ともに高品質な長尺レンズの加工を可能にすることができる。
【００５４】
付記（３）のレンズ保持具によれば、レンズ保持部材の第２外周面を長尺レンズの径方向の動きを規制する当て付け面にすることができる。
【００５５】
付記（４）のレンズ保持具によれば、捨てヤトイ保持部材のレンズ保持部材への取り付けを着脱可能にすることができ、長尺レンズの加工面側に捨てヤトイ保持部材を配置することができる。
【００５６】
付記（５）のレンズ保持具によれば、長尺レンズを加工しているときに非加工面側を保護することができる。
【００５７】
付記（６）のレンズ保持具によれば、保護部材のレンズ保持部材への取り付けを着脱可能にすることができ、長尺レンズの非加工面側を常に保護するように保護部材を配置することができる。
【００５８】
付記（７）のレンズ保持具によれば、保護部材の外周面と干渉することなく、レンズ保持部材の外周を長尺レンズの径方向の動きを規制する当て付け面にすることができる。で
【００５９】
付記（８）のレンズ保持具によれば、長尺レンズの軸方向の動きを規制する当て付け面となる捨てヤトイ保持部材を長尺レンズの加工する面側に配置することができ、捨てヤトイ保持部材と長尺レンズの加工面の面頂との距離を短くして面精度・外観ともに高品質な長尺レンズの加工を可能にすることができる。また、保護部材で非加工面側を常に保護することができる。
【００６０】
【発明の効果】
以上説明したように、本発明に係る請求項１のレンズ保持具によれば、長尺レンズを一度レンズ保持具に固定するだけで、レンズ保持具のレンズ保持部材から長尺レンズを着脱することなく長尺レンズの両端面の両端面の加工を可能とするとともに、レンズ保持具の軸方向の衝面（設備に保持される面）を捨てヤトイ保持部材とし、この捨てヤトイ保持部材を長尺レンズの加工する面側に配置することで、上記衝面と長尺レンズの加工面の面頂との距離を短くでき、面精度・外観ともに高品質な長尺レンズの加工を可能にすることができる。また、保護部材で非加工面側を保護することができる。
【００６１】
また、本発明に係る請求項２のレンズ保持具によれば、長尺レンズを一度レンズ保持具に固定するだけで、レンズ保持具のレンズ保持部材から長尺レンズを着脱することなく長尺レンズの両端面の加工を可能とするとともに、捨てヤトイ保持部材をレンズ保持部材の外周面から突出させてレンズ保持具の軸方向の衝面とすることができ、請求項１の効果と同様に、面精度・外観ともに高品質な長尺レンズの加工を可能にすることができる。
【００６２】
さらに、本発明に係る請求項３のレンズ保持具によれば、長尺レンズを一度レンズ保持具に固定するだけで、レンズ保持具のレンズ保持部材から長尺レンズを着脱することなく長尺レンズの両端面の両端面の加工を可能とするとともに、捨てヤトイ保持部材をレンズ保持部材の外周面から突出させてレンズ保持具の軸方向の衝面とし、捨てヤトイ保持部材とレンズ保持部材の外周面とで長尺レンズの軸方向と径方向の動きを規制して、請求項１の効果と同様に、面精度・外観ともに高品質な長尺レンズの加工を可能にすることができる。
【図面の簡単な説明】
【図１】本発明の実施の形態１を示す断面図である。
【図２】レンズ保持具のＣＧチャック状態を示す断面図である。
【図３】長尺レンズ素材の精研削加工中の状態を示す断面図である。
【図４】２面目加工前の状態を示す断面図である。
【図５】本発明の実施の形態２を示す断面図である。
【図６】レンズ保持具に対する長尺レンズ素材の保持位置を調整する状態を示す断面図である。
【図７】従来技術を示す断面図である。
【図８】従来技術を示す断面図である。
【符号の説明】
１，２１  長尺レンズ素材
２，２２  捨てヤトイ
３，２３  捨てヤトイ保持部材
３ａ，３３ａ  ネジ部
４，２４  レンズ保持部材
４ａ，２４ａ  孔
４ｂ，４ｃ  ネジ部
５  保護部材
５ａ  ネジ部
１０，２０  レンズ保持具
Ａ  底面
Ｃ 外周面
【図１】
0003913932.tif 000002
【図２】
0003913932.tif 000003
【図３】
0003913932.tif 000004
【図４】
0003913932.tif 000005
【図５】
0003913932.tif 000006
【図６】
0003913932.tif 000007
【図７】
0003913932.tif 000008
【図８】
0003913932.tif 000009